(57)【要約】  【課題】  アーチェリーの矢においてアーチェリーパラドックスを抑制することができる矢を提供することを課題とする。  【解決手段】  中空のシャフトにより軸部が形成されるアーチェリー用の矢に、ノードポイント同士の中間点を通るように前記軸部内に嵌入される制振材料により形成される棒体からなる中間振動抑制部材を設けることによって、最も変形量の大きな位置における振動エネルギーを制振材料により吸収し、アーチェリーパラドックスによる振動を早く減衰させる。【選択図】  図１
2006342987.tif 000002
【特許請求の範囲】
【請求項１】
中空のシャフトにより軸部が形成されるアーチェリー用の矢であって、
ノードポイント同士の中間点を通るように前記軸部内に嵌入される制振材料により形成される棒体からなる中間振動抑制部材を有する
アーチェリー用の矢。
【請求項２】
中空のシャフトにより軸部が形成されるアーチェリー用の矢であって、
矢のポイントもしくはインサートに固定され、前記軸部内部に前記軸部の壁面に触れないように前記軸部の長手方向に突出する、制振材料により形成される棒体よりなる先端振動抑制部材を有する
アーチェリー用の矢。
【発明の詳細な説明】
【技術分野】
【０００１】
本発明は、アーチェリーにおいて使用される矢に関する。
【背景技術】
【０００２】
アーチェリーは、弓を使用して矢を的に当てる競技であり、精度の向上のためには弓や矢の振動を押さえることが重要になる。このため、例えば、下記各特許文献には弓の振動を押さえるための構造が種々示されている。
【特許文献１】実公昭４８−１１５００号公報
【特許文献２】実公昭４８−１１５０６号公報
【発明の開示】
【発明が解決しようとする課題】
【０００３】
ところで、従来は、弓を構えてから矢が放たれるまでの振動の防止が考慮されていたが、放たれた矢について振動を防止する考えはほとんど見あたらない。一方、アーチェリーの弓は放たれるとアーチェリーパラドックスと呼ばれる固有の振動が生じる。アーチェリーパラドックスは、図４に示すように、矢が長さや物性に応じて横揺れを起こし定常波を形成する現象である。通常、定常波の節は２点生じ、これらの点はノードポイント（図４において点Ｐで示す）と呼ばれる。矢がこのように横揺れをしながら飛ぶと先端位置が飛行中に常に移動していることになり、先端を正確に的に当てることが困難になる。
本発明は、このような事情に鑑みて、アーチェリーの矢においてアーチェリーパラドックスを抑制することができる矢を提供することを課題とする。
【課題を解決するための手段】
【０００４】
上記課題を解決するために、本発明は次のような構成を有する。
請求項１に記載の発明は、中空のシャフトにより軸部が形成されるアーチェリー用の矢であって、ノードポイント同士の中間点を通るように前記軸部内に嵌入される制振材料により形成される棒体からなる中間振動抑制部材を有するアーチェリー用の矢である。
請求項２に記載の発明は、中空のシャフトにより軸部が形成されるアーチェリー用の矢であって、矢のポイントもしくはインサートに固定され、前記軸部内部において軸部の壁面に触れないように軸部の長手方向に突出する、制振材料により形成される棒体よりなる先端振動抑制部材を有するアーチェリー用の矢である。
なお、本発明における制振材料としては、種々の制振金属や制振合成樹脂等を広く利用することができる。また、棒体には中空のものも含まれる。
【発明の効果】
【０００５】
請求項１に記載の発明は、矢のアーチェリーパラドックスにより発生する定常波の腹の部分に当たる、ノードポイント同士の中間点を通るように制振材料の棒体が嵌入されるので、最も変形量の大きな位置における振動エネルギーを制振材料により吸収し、矢の振動を早く減衰させることができる。
請求項２に記載の発明は、左右に振動する矢の先端部分に装着されるポイントもしくはインサートの後方に制振材料により形成される棒体が固定されることにより、先端部分の振動によりこの棒体も振動することになるが、棒体は制振材料により形成されており、これが振動のエネルギーを吸収し振動を抑制するので、やはり、早く矢の振動を減衰させることができる。
【発明を実施するための最良の形態】
【０００６】
以下、本発明の実施形態について、図面を参照しながら説明する。
図１に、本実施形態に係るアーチェリー用の矢Ｘの縦断面図を示し、図２にアーチェリー用の矢Ｘの中間部分の拡大縦断面図を示し、図３にアーチェリー用の矢Ｘの先端部分の拡大縦断面図を示す。
アーチェリー用の矢Ｘはカーボンファイバー製のパイプからなる軸部１００に、先端部にインサート１２０が嵌入固定され、さらに、インサート１２０の先端にポイント１１０が嵌入固定されている。また、軸部１００の後端には、合成樹脂性のノック１３０が嵌入固定され、後端の軸部側面にはベイン１４０が固定されている。
そして、アーチェリー用の矢Ｘの略中央位置、アーチェリーパラドックスにおけるノードポイント同士の中間位置には、パイプ状の中間振動抑制部材１０が設けられている。中間振動抑制部材１０は、制振金属により構成されており、軸部１００の内壁に嵌入され、固定されている。
また、アーチェリー用の矢Ｘの先端における、インサート１２０の後方には先端振動抑制部材２０が固定されている。先端振動抑制部材２０は、中間振動抑制部材１０と同じ制振金属からなり、同じく制振金属により形成されるインサート１２０と一体に形成されている。なお、ここでは、ポイント１１０も制振金属により形成されている。中間振動抑制部材１０は、棒状体であって、中空の軸部１００内部において軸部１００の壁面に触れないように軸部１００の長手方向に突出している。
【０００７】
次に、以上のような構成を有するアーチェリー用の矢Ｘの作用について説明する。使用方法は通常のアーチェリーの矢と同様であり、弓に番えて、的を狙って放つ。すると、弓から放たれた直後には、アーチェリーパラドックスがおこり、矢Ｘはノードポイントを節とする定常波を描くように振動する。最も屈曲の激しいノードポイント同士の中間点には中間振動抑制部材１０が固定されているので、中間振動抑制部材１０はこの振動により激しく何度も左右に曲げられ振動する。同時に、矢Ｘの先端の内部には棒体により形成される先端振動抑制部材２０が設けられているので、この先端振動抑制部材２０も固定端が左右に振動する結果として、全体が左右に振動する。そして、中間振動抑制部材１０および先端振動抑制部材２０は制振金属により形成されているので、この振動を吸収し、結果として矢Ｘ全体の振動エネルギーを吸収してアーチェリーパラドックスを収束させる。結果として、的に至る時点で、通常の矢よりも振動が押さえられ、的中精度を高めることが可能となる。
【０００８】
なお、本実施形態では、先端振動抑制部材２０は、インサート１２０に固定しているがインサートの無いアーチェリー用の矢においては、ポイント１１０に直接固定するようにしてもよい。
【図面の簡単な説明】
【０００９】
【図１】実施形態に係るアーチェリー用の矢の縦断面図である。
【図２】図１の中間部分の拡大図である。
【図３】図１の先端部分の拡大図である。
【図４】アーチェリーパラドックスを示すアーチェリー用の矢の側面図である。
【符号の説明】
【００１０】
Ｘ      アーチェリー用の矢
１０    中間振動抑制部材
２０    先端振動抑制部材
１００  軸部
１１０  ポイント
１２０  インサート
１３０  ノック
１４０  ベイン
【図１】
2006342987.tif 000003
【図２】
2006342987.tif 000004
【図３】
2006342987.tif 000005
【図４】
2006342987.tif 000006